(57)【要約】【課題】健診結果とヘルスアセスメントの統合分析により利用者毎により正確な健康評価をできると共に、利用者に対して適切な健康増進計画を立案することができる健康目標管理システムを提供する。【解決手段】  健康目標管理システム１００は、ユーザ端末１０と、健診機関端末２０と、インターネット３０と、データベースサーバ４０とを備え、データベースサーバ４０は、健康課題タイプ生成手段４３ａ、ヘルスプラン生成手段４３ｂ、目標値設定手段４３ｃ、修正プラン生成手段４３ｄを有する。また、データベースサーバ４０には、健康課題タイプデータベース４３ａ、モデルプランデータベース４３ｂ、修正ヘルスプランデータベース４３ｃが格納されている。利用する際に、入力された個人情報、健診データとヘルスアセスメントデータに基づいて、各利用者に対して適切なヘルスプランを生成するようになされる。【選択図】        図１
2006106952.tif 000002
【特許請求の範囲】
【請求項１】
通信ネットワークを介して接続された少なくとも１つの端末と、データベースサーバとを有する健康目標管理システムにおいて、
利用者のヘルスアセスメントデータを入力する第１の入力手段と、
上記利用者の個人情報、健診データを入力する第２の入力手段と、
上記第１の入力手段から入力されたヘルスアセスメントデータと上記第２の入力手段から入力された個人情報、健診データに基づいて、健康課題タイプを生成する健康課題タイプ生成手段と、
上記健康課題タイプ生成手段により生成された健康課題タイプに基づいて、予め上記データベースサーバに格納された健康増進モデルプランを検索し、上記利用者に適合したヘルスプランを生成するヘルスプラン生成手段と、
上記ヘルスプラン生成手段により生成されたヘルスプランに基づいて目標値を設定する目標値設定手段と、
上記目標値設定手段により設定された目標値に対して修正を行い、上記ヘルスプランの修正プランを生成する修正プラン生成手段と、
上記修正プラン生成手段により生成された修正プランを出力する出力手段と
を備えることを特徴とする健康目標管理システム。
【請求項２】
上記データベースサーバには、
予め作成された複数の健康課題タイプデータと、
予め作成された複数の健康増進モデルプランデータと、
目標値に対する複数の修正プランデータとが格納されている
ことを特徴とする請求項１に記載の健康目標管理システム。
【請求項３】
上記データベースサーバは、上記利用者の個人別の健診データ、ヘルスアセスメントデータを含むデータベースを有する
ことを特徴とする請求項１に記載の健康目標管理システム。
【請求項４】
上記第１の入力手段および上記第２の入力手段は、上記端末に設けられている
ことを特徴とする請求項１に記載の健康目標管理システム。
【請求項５】
上記ヘルスプランおよび修正プランは、
利用者に合った食事、運動、サプリメントによる健康増進計画内容を含む
ことを特徴とする請求項１に記載の健康目標管理システム。
【請求項６】
入力された個人情報、健診データとヘルスアセスメントデータに基づいて、利用者に対する適切なヘルスプランを生成する健康目標管理システム用プログラムであって、
コンピュータを、入力された個人情報、健診データとヘルスアセスメントデータに基づいて、健康課題タイプを生成する健康課題タイプ生成手段と、
上記健康課題タイプ生成手段により生成された健康課題タイプに基づいて、予めデータベースサーバに格納された健康増進モデルプランを検索し、上記利用者に適合したヘルスプランを生成するヘルスプラン生成手段と、
上記ヘルスプラン生成手段により生成されたヘルスプランに基づいて目標値を設定する目標値設定手段と、
上記目標値設定手段により設定された目標値に対して修正を行い、上記ヘルスプランの修正プランを生成する修正プラン生成手段と、
上記修正プラン生成手段により生成された修正プランを出力する出力手段として機能させるための健康目標管理システム用プログラム。
【発明の詳細な説明】
【技術分野】
【０００１】
この発明は、健康目標管理システムおよび健康目標管理システム用プログラムに関する。詳しくは、入力された個人情報、健診データとヘルスアセスメントデータに基づいて、利用者に対する適切なヘルスプランを生成する構成とすることによって、健診結果とヘルスアセスメントの統合分析により利用者毎により正確な健康評価を行うことができると共に、利用者に対して適切な健康増進計画を立案することができるようにした健康目標管理システム等に係るものである。
【背景技術】
【０００２】
人々が健康づくりの重要性を認識しつつも、具体的な健康づくりへの行動変容には繋がっていない中、健診機関の役割は検査を中心とした健康診断から生涯にわたる総合的な健康づくりを支援する役割にシフトすることが求められている。従来の有所見を中心とした健康支援から健康増進を目的とした幅の広い層に対する健康づくり支援が求められている。
【０００３】
健康づくりを支援するためには、利用者の状況に最も適したヘルスケアプラン（食事、運動、メンタル）を選択することが重要であるが、市場に提供されている健康増進商品、サービスは多種多様である。また、利用者の健康増進への取り組みも利用者個人毎に大きく異なる。多種多様な健康増進商品、サービスの中から自分に最適なものを選ぶツール、方法はなく、利用者個人が選択するのが一般的である。
【０００４】
また、受診機関の従来の問診は、心身機能の問題点（疾病）を中心に収集する「医学モデル」であり、健康に関わる構成要素である活動、環境因子（家庭、職場）、個人因子（性別、年齢、職業、教育歴、性格）などの「社会モデル」が、活用されていないため、結果説明（健診結果の郵送）も受け身の渉外であるため、健康増進への行動変容を引き出すことができない。
【０００５】
例えば、健康診断事後の措置は、１、健診結果送付、この場合、結果票に生活指導を記載する。２、個別指導、個別指導は対象者が要再検査、要精密検査、要治療の場合に行う。このとき、健診結果や生活習慣結果を集計し事業場の健康づくりへの助言を行う。３、要精密検査、用治療者判定の未受診者へ文書による受診勧奨を行う。４、次年度の健康診断を実施する。
【０００６】
また、従来、健康診断や人間ドックの受診の結果の評価について、一般的な正常範囲との比較で判断されるのみで、受診者の生活環境などの要因を加味したきめ細かい健康要因に基づいた健康指標を評価してもらえないという問題があった。
【０００７】
これを解決するため、受診者の生活する地域の環境的健康要因を分析し、環境的健康要因に基づいて個人健康情報を評価する健診情報分析サーバおよびネットワーク健康情報システムが提案されている（例えば、特許文献１参照）。
【０００８】
この場合、受診者の生活する地域特性や環境特性が多様であるような複数の健診機関と回線接続し、これら機関の個人健康情報を一元的に収集蓄積する広域の個人健康情報データベースを有する健診情報分析サーバを設置し、ここで環境的健康要因ごとに個人健診データおよび個人健康指標を分類分析する環境的健康要因分析手段をもち、環境要因別健康指標分布を得ることにより、環境的健康要因に基づいて個人健康情報を評価することができる。
【０００９】
【特許文献１】特開２０００−９９６０５号公報（第２，３頁、第１図）
【発明の開示】
【発明が解決しようとする課題】
【００１０】
上述した従来の健康情報システムは、健康診断や人間ドックの受診の結果の評価について、一般的な正常範囲との比較で判断されるのみであり、受診者の食事、運動、生活習慣等要因が考慮されていないため、健診結果とヘルスアセスメントの統合分析により利用者毎に健康評価をできないという問題があった。
【００１１】
また、利用者に対して最適な健康増進計画を提案することができないという欠点があった。
【００１２】
また、特許文献１の場合は、個人健診データおよび個人健康指標を分類分析する環境的健康要因分析手段をもち、環境要因別健康指標分布を得ることできるが、分析結果に対して、利用者に最適な健康増進計画を提案することができないという問題があった。
【００１３】
そこで、この発明は、健診結果とヘルスアセスメントの統合分析により利用者毎により正確な健康評価をできると共に、利用者に対して適切な健康増進計画を立案することができるようにした健康目標管理システムおよび健康目標管理システム用プログラムを提供することを目的とする。
【課題を解決するための手段】
【００１４】
この発明に係る健康目標管理システムは、通信ネットワークを介して接続された少なくとも１つの端末と、データベースサーバとを有する健康情報システムにおいて、利用者のヘルスアセスメントデータを入力する第１の入力手段と、利用者の個人情報、健診データを入力する第２の入力手段と、第１の入力手段から入力されたヘルスアセスメントデータと第２の入力手段から入力された個人情報、健診データに基づいて、健康課題タイプを生成する健康課題タイプ生成手段と、該健康課題タイプ生成手段により生成された健康課題タイプに基づいて、予め上記データベースサーバに格納された健康増進モデルプランを検索し、利用者に適合したヘルスプランを生成するヘルスプラン生成手段と、該ヘルスプラン生成手段により生成されたヘルスプランに基づいて目標値を設定する目標値設定手段と、該目標値設定手段により設定された目標値に対して修正を行い、ヘルスプランの修正プランを生成する修正プラン生成手段と、該修正プラン生成手段により生成された修正プランを出力する出力手段とを備えるものである。
【００１５】
例えば、データベースサーバには、予め作成された複数の健康課題タイプデータと、予め作成された複数の健康増進モデルプランデータと、目標値に対する複数の修正プランデータとが格納されている。また、データベースサーバは、利用者の個人別の健診データ、ヘルスアセスメントデータを含むデータベースを有するようになされる。
【００１６】
また例えば、第１の入力手段および第２の入力手段は、端末に設けられている。また、ヘルスプランおよび修正プランは、利用者に合った食事、運動、サプリメントによる健康増進計画内容を含む。
【００１７】
この発明に係る健康目標管理システム用プログラムは、入力された個人情報、健診データとヘルスアセスメントデータに基づいて、利用者に対する適切なヘルスプランを生成する健康目標管理システム用プログラムであって、コンピュータを、入力された個人情報、健診データとヘルスアセスメントデータに基づいて、健康課題タイプを生成する健康課題タイプ生成手段と、該健康課題タイプ生成手段により生成された健康課題タイプに基づいて、予め上記データベースサーバに格納された健康増進モデルプランを検索し、利用者に適合したヘルスプランを生成するヘルスプラン生成手段と、該ヘルスプラン生成手段により生成されたヘルスプランに基づいて目標値を設定する目標値設定手段と、該目標値設定手段により設定された目標値に対して修正を行い、ヘルスプランの修正プランを生成する修正プラン生成手段と、該修正プラン生成手段により生成された修正プランを出力する出力手段として機能させるための健康目標管理システム用プログラムである。
【００１８】
この発明においては、第１の入力手段から入力されたヘルスアセスメントデータと第２の入力手段から入力された個人情報、健診データに基づいて、健康課題タイプを生成し、次に、健康課題タイプ生成手段により生成された健康課題タイプに基づいて、予め上記データベースサーバに格納された健康増進モデルプランを検索し、利用者に適合した健康増進モデルプランを生成し、ヘルスプラン生成手段により生成された健康増進モデルプランに基づいて目標値を設定し、そして、目標値設定手段により設定された目標値に対して修正を行い、修正プランを生成し、修正プラン生成手段により生成された修正プランを出力するようになされる。
【００１９】
これにより、健診結果とヘルスアセスメントの統合分析により利用者毎により正確な健康評価を行うことができると共に、利用者に対して適切な健康増進計画を立案することが可能となる。
【発明の効果】
【００２０】
この発明によれば、通信ネットワークを介して接続された少なくとも１つの端末と、データベースサーバとを有する健康目標管理システムにおいて、利用者のヘルスアセスメントデータを入力する第１の入力手段と、利用者の個人情報、健診データを入力する第２の入力手段と、第１の入力手段から入力されたヘルスアセスメントデータと第２の入力手段から入力された個人情報、健診データに基づいて、健康課題タイプを生成する健康課題タイプ生成手段と、該健康課題タイプ生成手段により生成された健康課題タイプに基づいて、予めデータベースサーバに格納された健康増進モデルプランを検索し、利用者に適合したヘルスプランを生成するヘルスプラン生成手段と、該ヘルスプラン生成手段により生成されたヘルスプランに基づいて目標値を設定する目標値設定手段と、目標値設定手段により設定された目標値に対して修正を行い、ヘルスプランの修正プランを生成する修正プラン生成手段と、該修正プラン生成手段により生成された修正プランを出力する出力手段とを備え、入力された個人情報、健診データとヘルスアセスメントデータに基づいて、各利用者に対して適切なヘルスプランを生成するものであり、健診結果とヘルスアセスメントの統合分析により利用者毎により正確な健康評価を行うことができると共に、利用者に対して適切な健康増進計画を立案することができる。その結果、利用者の健康増進を図ることができる。
【発明を実施するための最良の形態】
【００２１】
以下、図面を参照しながら、この発明の実施の形態の健康目標管理システムおよび健康目標管理システム用プログラムについて説明する。
【００２２】
図１は、実施の形態としての健康目標管理システムの構成を示す図である。図１に示すように、健康目標管理システム１００は、ユーザ端末１０と、健診機関端末２０と、インターネット３０と、データベースサーバ４０とから構成されている。
【００２３】
ユーザ端末１０は、データ入力手段１１と、表示手段１２と、出力手段１３とを備え、例えばパーソナルコンピュータまたは携帯電話等が用いられる。ここで、ユーザ端末１０のデータ入力手段１１は、第１の入力手段として、例えばキーボードまたはタッチパネル等により構成され、利用者のヘルスアセスメントデータを入力することができる。
【００２４】
表示手段１２は、例えばＬＣＤ（Liquid Crystal Display）からなり、データ入力手段１１から入力されたヘルスアセスメントデータ、および健康課題タイプ、ヘルスプラン等を画面上に表示するようになされる。なお、表示手段１２には、例えば、ＣＲＴ（Cathode-Ray Tube）、ＥＬディスプレイ（Electroluminescence display）などを用いてもよい。
【００２５】
出力手段１３は、例えばプリンタ等出力装置である。健康課題タイプ、ヘルスプラン等を紙に印刷し、出力するようになされる。
【００２６】
健診機関端末２０は、データ入力手段２１と、表示手段２２と、出力手段２３とを備え、例えばパーソナルコンピュータ等が用いられる。
【００２７】
健診機関端末２０のデータ入力手段２１は、第２の入力手段として、例えばキーボードまたはタッチパネル等により構成され、利用者の個人情報、健診データを入力することができる。
【００２８】
表示手段２２は、例えばＬＣＤ（Liquid Crystal Display）からなり、データ入力手段２１から入力された利用者の個人情報、健診データ等を画面上に表示するようになされる。なお、表示手段２２には、例えば、ＣＲＴ（Cathode-Ray Tube）、ＥＬディスプレイ（Electroluminescence display）などを用いてもよい。
【００２９】
出力手段２３は、例えばプリンタ等出力装置である。利用者の個人情報、健診データ等を紙に印刷し、出力するようになされる。
【００３０】
インターネット３０は、通信手段としてユーザ端末１０、健診機関端末２０、データベースサーバ４０を相互に接続するようになされる。
【００３１】
データベースサーバ４０は、データベースを格納する記憶手段を備え、さらに、健康課題タイプ生成手段４３ａ、ヘルスプラン生成手段４３ｂ、目標値設定手段４３ｃ、修正プラン生成手段４３ｄを備える。
【００３２】
図２は、データベースサーバ４０の構成例を示す図である。図２に示すように、データベースサーバ４０は、ＲＯＭ４１と、ＲＡＭ４２と、ＣＰＵ４３と、Ｉ／Ｆ４４と、入力手段４５と、表示部４６と、記憶手段４７とから構成されている。
【００３３】
ＣＰＵ４３は、ＲＯＭ４１に記憶された制御プログラム情報に従って、ＲＡＭ４２をワークエリアとして使用しながら、データベースサーバ４０の全体の動作を制御する。
【００３４】
また、ＣＰＵ４３は、健康課題タイプ生成手段４３ａ、ヘルスプラン生成手段４３ｂ、目標値設定手段４３ｃ、および修正プラン生成手段４３ｄとして機能する。例えば、入力されたデータに基づいて、健康課題タイプデータベース４３ａに照合して、利用者に対して健康課題タイプを生成する。また、得られた健康課題タイプに基づいて、モデルプランデータベース４７ｂを検索し、利用者の健康状態に対応したヘルスプランを生成する。また、生成したヘルスプランに基づいて目標値を設定する。また、目標値を実行するには無理がある場合、または他の原因により目標値を変更する必要がある場合、修正プラン生成手段４３ｄにより修正プランを生成する。
【００３５】
記憶手段４７は、健康課題タイプデータベース４３ａ、モデルプランデータベース４３ｂ、修正ヘルスプランデータベース４３ｃを格納している。健康課題タイプデータベース４３ａには、ヘルスアセスメントデータと健診データの組み合わせパターンが記憶されている。モデルプランデータベース４３ｂには、健康課題タイプ毎に食事、運動、サプリメント等の情報が登録されている。修正ヘルスプランデータベース４３ｃには、目標値に対する修正プランの情報が登録されている。
【００３６】
続いて、図面を参照しながら、健康目標管理システム１００の動作について説明する。図３は、健康目標管理システム１００の動作例を示すフローチャートである。
【００３７】
予め健診機関にて健診を行う。そして、ヘルスアセスメントデータを取得する。例えば利用者に問診票、質問票で健康関心度、食事バランス等情報を質問し、さらに健診データに対して標準偏差を求めることで利用者の個人別のヘルスアセスメントデータを取得する。図４は、ヘルスアセスメントデータの例を示す図である。図４に示すように、ヘルスアセスメントデータは、第１群（健康関心度）、第２群（食事バランス）、第３群（健診結果）の部分を有している。第１群（健康関心度）と第２群（食事バランス）は利用者に問診票、質問票で質問し、利用者の回答（ＹＥＳの場合）に基づいて各項目に所定の値を付与する。また、第３群（健診結果）は、各健診項目に対して、図４中の式を用いて標準偏差を算出し、標準偏差に基づいて所定の値を付与するものである。
【００３８】
健康目標管理システム１００を利用する際に、まず、図３に示すフローチャートのステップＳ１１で、データ入力を行う。この例では、第１の入力手段としてのユーザ端末１０でヘルスアセスメントデータを入力する。図５は、ヘルスアセスメントデータ入力画面の表示例を示す図である。図５に示すように、画面上に問診票が表示されている。利用者はこの画面で各項目を選択することにより、所定の値を入力される。
【００３９】
また、第２の入力手段としての健診機関端末２０で利用者の個人情報、健診データを入力する。図６は、利用者の個人情報、健診データ入力画面の表示例を示す図である。図６に示すように、裏の画面は健診データの入力画面である。また前の画面は健診データのグラフ表示画面である。
【００４０】
次に、ステップＳ１２で、健康課題タイプを生成する。この場合、入力されたデータに基づいて、健康課題タイプデータベース４３ａに照合して、利用者に対して健康課題タイプを生成する。図７は、健康課題タイプの表示例を示す図である。この例では、健康課題タイプ番号は「Ｎｏ．１」であり、健康課題タイプ名称は、「健康課題タイプＡ１（単身型）」であるものが表示されている。また、画面下部にはアセスメント結果のグラフと、検査結果のグラフとが表示されている。
【００４１】
また、図８は、健康課題タイプデータベース４３ａに照合する際の健康課題タイプマスタの表示例である。ここで、例えば同年代の平均データに対する利用者自己のデータとの比較を行う。または同じ会社、同じ都市等のデータに対する利用者自己のデータとの比較を行う。
【００４２】
次に、ステップＳ１３で、ヘルスプランを生成する。ここで、ステップＳ１２で得られた健康課題タイプに基づいて、モデルプランデータベース４７ｂを検索し、利用者の健康状態に対応したヘルスプランを生成する。図９は、ヘルスプランの表示画面を示す図である。図９中の（ａ）は、健康課題のヘルスプランの画面である。図９中の（ｂ）は、運動に関するプラン内容の表示画面である。図９中の（ｃ）は、食事に関するプラン内容の表示画面である。図９中の（ｄ）は、サプリメントに関するプラン内容の表示画面である。図９に示すように、運動、食事、サプリメントに対してヘルスプランが得られる。また、各項目に対してアドバイスが表示されている。例えば、コレステロールが高い課題に対して、料理の面で魚料理を中心、野菜を多めに摂取することをアドバイスし、また、運動の面で１日に１時間の運動を行うことをアドバイスする。
【００４３】
そして、ステップＳ１４で、目標値を設定する。この場合、ステップＳ１３で生成したヘルスプランに基づいて目標値を設定する（設定画面の表示例は、図１０参照）。この目標値を実行するには無理がある場合、または他の原因により目標値を変更する必要がある場合、次のステップＳ１５で、修正プランを生成する。ここで、目標値を変更した後に、修正プランデータベース４７ｃを検索し、修正プランを生成する。図１１は、修正プランの表示例を示す図である。図１１に示すように、運動、食事、サプリメント項目を選択して修正プランの内容を表示することができる。
【００４４】
最後に、ステップＳ１６で、修正プランを出力する。修正プランが出力された後、動作を終了する。
【００４５】
このように本実施の形態においては、健康目標管理システム１００は、ユーザ端末１０と、健診機関端末２０と、インターネット３０と、データベースサーバ４０とを備え、データベースサーバ４０は、健康課題タイプ生成手段４３ａ、ヘルスプラン生成手段４３ｂ、目標値設定手段４３ｃ、修正プラン生成手段４３ｄを有し、また、健康課題タイプデータベース４３ａ、モデルプランデータベース４３ｂ、修正ヘルスプランデータベース４３ｃを格納している。利用する際に、入力された個人情報、健診データとヘルスアセスメントデータに基づいて、各利用者に対して適切なヘルスプランを生成するようになされる。
【００４６】
これにより、健診結果とヘルスアセスメントの統合分析により利用者毎により正確な健康評価を行うことができると共に、利用者に対して適切な健康増進計画を立案することができる。その結果、利用者の健康増進を図ることができる。
【００４７】
図１２は、健康目標管理システム１００を用いた応用システムの一例を示す図である。図１２に示すように、応用システム１０１は、ユーザ端末１０と、健診機関端末２０と、インターネット３０と、データベースサーバ４０と、健康増進支援企業端末５０と、専門家端末６０と、企業・団体端末７０とから構成されている。
【００４８】
健康増進支援企業端末５０は、健康増進用品販売事業者が健康増進用品およびサービス情報を提供するために利用される。専門家端末６０は、専門家が健康課題タイプに適合する健康支援情報を評価し、アドバイスするために利用される。また、企業・団体端末７０は企業・団体（健保）等が健診機関からのヘルスプランを受診者に紹介する機能を有する。
【００４９】
図１３は、応用システム１０１の動作例を示すフローチャートである。図１３に示すように、
受診者（利用者）Ｔ１は、健診施設で健診を受ける（Ｓ２１）。同時にアセスメントを行う（Ｓ２２）。次に、健診施設Ｔ３は、ヘルスプランを立案し（Ｓ２３）、そして、ヘルスプランをプロバイダ（データベースサーバ４０）Ｔ４へ送信する（Ｓ２４）。次に、プロバイダＴ４は、送信されるデータを受信する（Ｓ２５）。そして、健康課題タイプに適合する健康増進情報の検索を行い、受診者Ｔ１に対応した健康課題タイプを生成し、さらにヘルスプランを生成して受診者Ｔ１に提供する（Ｓ２６）。なお、健診施設Ｔ３は、企業・団体Ｔ２に対してハイリスクグループ報告を行う（Ｓ２７）。
【００５０】
また、健康増進支援企業Ｔ５は健康支援情報をプロバイダＴ４へ登録する（Ｓ２８）。次に、健康支援用品を受診者Ｔ１に提供する（Ｓ２９）。
【００５１】
また、専門家グループＴ６は、健康課題タイプに適合する健康支援情報を評価する（Ｓ３０）。
【００５２】
そして、受診者Ｔ１は提供されるサービスに対して評価を行う（Ｓ３１）。また、次回の健康診断を行う（Ｓ３２）。次に、健診施設Ｔ３は、受診者Ｔ１に対して健康増進の評価を行う（Ｓ３３）。次に、健診データ、アセスメントの解析統計データをプロバイダ（データベースサーバ４０）Ｔ４へ送信する（Ｓ３４）。
【００５３】
また、プロバイダＴ４は、企業・団体Ｔ２および健診施設Ｔ３との間にモニタリングを行う（Ｓ３５）。また、受診者毎にマイヘルスカルテを保存する（Ｓ３６）。
【００５４】
なお、専門家グループＴ６は、企業・団体Ｔ２からＥＢＨ（根拠に基づく健康作り）データ収集し（Ｓ３７）、ＥＢＨ評価を行う（Ｓ３８）
このように、応用システム１０１において、健診結果とヘルスアセスメントの統合分析により利用者毎により正確な健康評価を行うことができると共に、利用者に対して適切な健康増進計画を立案することができる。また、健康課題タイプに適合する健康増進商品・サービス情報の検索を行うことができる。さらに、健康支援サービスに対して評価を行うことができる。
【００５５】
なお、上述実施の形態においては、第１の入力手段はユーザ端末１０に設け、第２の入力手段は検診機関端末２０に設けたものとしたが、これに限定されるものではない。例えば、第１の入力手段と第２の入力手段は同一端末に設けてもよい。
【００５６】
また、上述実施の形態において、健康目標管理システム１００は、通信ネットワークとしてインターネット３０を用いたものであるが、これに限定されるものではない。他の通信手段を用いてもよい。
【００５７】
また、上述実施の形態において、ヘルスプランの内容には、運動、食事、サプリメントの項目を設けたが、これに限定されるものではない。他の健康増進に関する項目を設けてもよい。
【００５８】
また、上述実施の形態において、個人情報保護の観点から、健診機関からのデータは、健康課題タイプデータ、属性データ（健診機関コード、企業団体コード、職域コード、性別コード、年齢階層別コード）などすべて暗号コードとして送信するようにしてもよい。また、氏名、メールアドレスは、別ファイルとして分散管理することができる。
【産業上の利用可能性】
【００５９】
この発明に係る健康目標管理システムおよび健康目標管理システム用プログラムは、個人情報、健診データとヘルスアセスメントデータに基づいて、利用者に対する適切なヘルスプランを提供する目的に適用する。
【図面の簡単な説明】
【００６０】
【図１】実施の形態の健康目標管理システムの構成例を示す図である。
【図２】データベースサーバの構成例を示す図である。
【図３】健康目標管理システムの動作例を示すフローチャートである。
【図４】ヘルスアセスメント例を示す図である。
【図５】ヘルスアセスメントデータ入力画面の表示例を示す図である。
【図６】利用者の個人情報、健診データ入力画面の表示例を示す図である。
【図７】健康課題タイプの表示例を示す図である。
【図８】健康課題タイプデータベースの健康課題タイプマスタの表示例である。
【図９】ヘルスプランの表示画面を示す図である。
【図１０】ヘルスプランの目標値設定画面を示す図である。
【図１１】修正プランの表示例を示す図である。
【図１２】健康目標管理システムを用いた応用システムの一例を示す図である。
【図１３】応用システム１０１の動作例を示すフローチャートである。
【符号の説明】
【００６１】
１０・・・ユーザ端末、１１，２１，４５・・・入力手段、１２，２２・・・表示手段、１３，２３・・・出力手段、３０・・・インターネット、４０・・・データベースサーバ、４１・・・ＲＯＭ、４２・・・ＲＡＭ、４３・・・ＣＰＵ、４３ａ・・・健康タイプ生成手段、４３ｂ・・・ヘルスプラン生成手段、４３ｃ・・・目標値設定手段、４３ｄ・・・修正プラン生成手段、４４・・・Ｉ／Ｆ、４６・・・表示部、４７・・・記憶手段、４７ａ・・・健康課題タイプデータベース、４７ｂ・・・モデルプランデータベース、４７ｃ・・・修正ヘルスプランデータベース、５０・・・健康増進支援企業端末、６０・・・専門家端末、７０・・・企業・団体端末、１００・・・健康目標管理システム、１０１・・・応用システム
【図１】
2006106952.tif 000003
【図２】
2006106952.tif 000004
【図３】
2006106952.tif 000005
【図４】
2006106952.tif 000006
【図５】
2006106952.tif 000007
【図６】
2006106952.tif 000008
【図７】
2006106952.tif 000009
【図８】
2006106952.tif 000010
【図９】
2006106952.tif 000011
【図１０】
2006106952.tif 000012
【図１１】
2006106952.tif 000013
【図１２】
2006106952.tif 000014
【図１３】
2006106952.tif 000015